(57)【要約】      （修正有）【課題】取り付けが便利でスムーズに作動し、自動車メーカーに限定されず適用可能な自動車の日除け装置を提供する。【解決手段】日除け装置は本体１、日除けシェード２、動力源３、伝動軸４、少なくとも１個の案内部材５を有する。本体上の内部には収容設置空間１１を開設し、動力源３により伝動軸４を駆動し、伝動軸４は日除けシェード２を連動し、収容設置空間１１から外へと伸び出させ、或いは収納する。同時に日除けシェード先端に設置する少なくとも１個の案内部材（ローラー）を介して、自動車フロントグラスに沿ってローリングさせる。これにより日除けシェードとフロントグラスとは一定の距離が保持され、日除けシェードはスムーズに作動する。【選択図】図１
0003196373.tif 000002
【実用新案登録請求の範囲】
【請求項１】
自動車の日除け装置であって、本体、日除けシェード、動力源、伝動軸、少なくとも１個の案内部材を有し、
前記本体には、収容設置空間を設置し、
前記日除けシェードは、湾曲可能な材質で、前記動力源及び前記伝動軸により、前記本体の収容設置空間中から伸び出し、或いは収納され、
前記動力源は、前記伝動軸を駆動し、前記日除けシェードを回転させて出し入れし、
前記案内部材は、前記日除けシェードの先端中央位置に設置され、これにより前記日除けシェードと前記フロントグラスとは、一定の距離を保持され、こうして前記日除けシェードは、スムーズに作動することを特徴とする自動車の日除け装置。
【請求項２】
前記日除けシェードは、透明或いは半透明であることを特徴とする請求項１に記載の自動車の日除け装置。
【請求項３】
前記日除けシェード上には、文字、図案、或いはマークを有することを特徴とする請求項１に記載の自動車の日除け装置。
【請求項４】
前記案内部材は、ローラーであることを特徴とする請求項１に記載の自動車の日除け装置。
【請求項５】
前記日除けシェードは、先端中央位置の両側に、前記案内部材をそれぞれ設置することを特徴とする請求項４に記載の自動車の日除け装置。
【請求項６】
前記動力源は、モーターであることを特徴とする請求項１〜５の任意の一項に記載の自動車の日除け装置。
【請求項７】
前記モーターは、リモコン方式により、正、反回転の起動、停止を駆動されることを特徴とする請求項６に記載の自動車の日除け装置。
【請求項８】
前記動力源は、手動方式により、前記伝動軸の連動を操作されることを特徴とする請求項１〜５の任意の一項に記載の自動車の日除け装置。
【請求項９】
前記自動車の日除け装置は、取り付け組み合わせ部材をさらに有し、
前記取り付け組み合わせ部材は、複数の吸盤、前記吸盤上に形成される複数の凸柱を有し、
前記複数の凸柱は、前記本体の４個の角にある複数の開口に嵌めて設置し、
前記複数の吸盤は、自動車ボンネットに吸着し、前記自動車の日除け装置を定位することを特徴とする請求項７に記載の自動車の日除け装置。
【請求項１０】
前記自動車の日除け装置は、取り付け組み合わせ部材をさらに有し、
前記取り付け組み合わせ部材は、複数の吸盤、前記吸盤上に形成される複数の凸柱を有し、
前記複数の凸柱は、前記本体の４個の角にある複数の開口に嵌めて設置し、
前記複数の吸盤は、自動車ボンネットに吸着し、前記自動車の日除け装置を定位することを特徴とする請求項８に記載の自動車の日除け装置。
【考案の詳細な説明】
【技術分野】
【０００１】
本考案は日除けシェードの構造に関し、特に自動車に使用する自動車の日除け装置に関する。
【背景技術】
【０００２】
自動車は閉鎖された狭小空間である。酷暑の下、屋外に駐車すれば、車内温度が７０℃以上にまで達することも珍しくない。使用者が自動車を用いる際に、たとえエアコンをつけたとしても、車内の温度はなかなか下がらず、蒸し暑い不快さに耐えなければならない。
【０００３】
そのため、日除け板、断熱紙などの多くの日除け設備が開発され販売されている。但し、これらの断熱用具は簡単に過ぎ、効果的な温度低下と紫外線防止機能を発揮することはできない。
【０００４】
そのため、自動車ボンネットの内部板金と内装飾板間に設置するロールスクリーンタイプの日除け装置が開発された。しかしながら、該日除け装置は、自動車内部に設置するため、構造が複雑であるばかりか、異なるメーカーの自動車に使用することができない。
【考案の概要】
【考案が解決しようとする課題】
【０００５】
上記した従来の日除け装置は、自動車内部に設置するため、構造が複雑であるばかりか、異なるメーカーの自動車に使用することができない欠点がある。
【課題を解決するための手段】
【０００６】
本考案は自動車メーカーが限定されず、使用者が自動車ボンネット外に自ら取り付けることができる自動車の日除け装置に関する。
【０００７】
本考案による自動車の日除け装置は、本体、日除けシェード、動力源、伝動軸、少なくとも１個の案内部材を有する。
該本体上の内部には、収容設置空間を開設し、これにより該日除けシェードは伸び出し、及び収納される。
該動力源により該伝動軸を駆動し、該伝動軸は、該日除けシェードを連動し、該収容設置空間から外へと伸び出させ、或いは収納する。
同時に、該日除けシェードの先端に設置する少なくとも１個の案内部材に対応し、フロントグラスに沿ってローリングさせ、これにより該日除けシェードとフロントグラスとは一定の距離を保持され、こうして該日除けシェードはスムーズに作動する。
【考案の効果】
【０００８】
本考案は、取り付けが便利でスピーディな日除け装置で、自動車メーカーに限定されず、適用可能である。さらに、本考案は電動方式、或いは手動方式で日除け装置を操作することができる。
【図面の簡単な説明】
【０００９】
【図１】本考案の一実施形態による自動車の日除け装置の立体模式図である。
【図２】本考案の一実施形態による自動車の日除け装置を自動車に配置する状態を示す使用状態図である。
【図３】本考案の一実施形態による自動車の日除け装置の案内部材のもう一つの配置を示す模式図である。
【図４】本考案の一実施形態による自動車の日除け装置を手動動力源で駆動する状態を示す模式図である。
【図５】本考案の一実施形態による自動車の日除け装置を取り付け組み合わせ部材に取り付ける状態を示す模式図である。
【考案を実施するための形態】
【００１０】
以下に図面を参照しながら本考案を実施するための最良の形態について詳細に説明する。
【実施例１】
【００１１】
図１、図２に示すとおり、本考案の一実施形態による自動車の日除け装置は、本体１、日除けシェード２、動力源３、伝動軸４、少なくとも１個の案内部材５を有する。本実施形態において、本体１上の内側には、収容設置空間１１を開設する。これにより、日除けシェード２は、伸び出し、及び収納される。日除けシェード２は、湾曲可能な軟性材質である。日除けシェード２先端中央には、案内部材５を設置し、日除けシェード２を連動して、自動車フロントグラス６上で移動させる。動力源３は、伝動軸４を連接される。図５に示すとおり、日除けシェード２は、先端中央位置の両側に、案内部材５をそれぞれ設置する。案内部材５は、ローラーである。
【００１２】
図４に示すとおり、日除け装置を使用する際には、動力源３を起動し、伝動軸４を駆動する。伝動軸４は、日除けシェード２を連動し、本体１の収容設置空間１１から外へと伸び出させ、同時に、案内部材５に対応し、自動車フロントグラス６に沿ってローリングする。これにより、日除けシェード２は、スムーズに作動して定位される。
【００１３】
日除け装置を収納する際には、動力源３を起動し反対向きに伝動軸４を駆動する。伝動軸４は、日除けシェード２を連動し、本体１の収容設置空間１１内に戻す。本考案の日除け装置は、構造が簡単で操作が便利である。
【００１４】
本考案日除け装置中の動力源３は、モーターで、リモコン方式により、その正、反回転の起動、停止を駆動することができる。
【００１５】
本考案日除け装置中の動力源は、手動方式により、伝動軸４の連動を操作することができる。
【００１６】
本考案日除け装置中の日除けシェード２は、透明或いは半透明である。
【００１７】
本考案日除け装置中の日除けシェード２上には、文字、図案、或いはマークを有することができる。
【００１８】
図５に示すとおり、本考案日除け装置を取り付け組み合わせ部材に、自動車ボンネットに取り付ける際の実施形態を示す。取り付け組み合わせ部材は、複数の吸盤８０、吸盤８０上に形成される複数の凸柱８１を有する。複数の凸柱８１は、本体１の４個の角にある開口に嵌めて設置する。吸盤８０は、自動車ボンネットに吸着する。
【符号の説明】
【００１９】
１  本体
１１  収容設置空間
２  日除けシェード
３  動力源
４  伝動軸
５  案内部材
６  フロントグラス
７  自動車
８０  吸盤
８１  凸柱
【図１】
0003196373.tif 000003
【図２】
0003196373.tif 000004
【図３】
0003196373.tif 000005
【図４】
0003196373.tif 000006
【図５】
0003196373.tif 000007